(57)【要約】  【課題】  上部冷蔵室と下部冷凍室に区画する区画壁の通路内にダンパ装置を収納した物があるが、区画壁が冷蔵庫本体の内箱と一体形成であるため、区画壁内成形断熱材と冷蔵庫本体に充填される発泡ポリウレタン断熱材が漏れないシール構造が複雑になる。またダンパ装置はそのケースを通路内に差し込んだ状態でケースの上部フランジが通路の上端周縁部に載置された構成であるため、このケースを区画壁内成形断熱材に固定する粘着テープ貼り作業等が必要となる。  【解決手段】  冷蔵庫本体の構成を簡素化するために冷凍室と冷蔵室とを区画する断熱仕切り壁を冷蔵庫本体と別個の構成とし、ダンパ装置の作動板を取り囲む通路壁を断熱仕切り壁に挿入保持する挿入部とこの挿入部の周辺部に形成された係止爪を設け、この係止爪が通路壁に弾性係止して断熱仕切り壁中にダンパ装置を保持する。【選択図】  図３
2005069646.tif 000002
【特許請求の範囲】
【請求項１】
冷蔵庫本体内に冷蔵室が上部に位置するように冷凍室と冷蔵室が断熱仕切り壁にて区画され、前記冷凍室の後部に設置した冷却器で冷却した冷気が送風機で前記冷凍室と冷蔵室へ循環するよう構成され、前記冷蔵室の温度に基づき前記冷蔵室へ連通した前記断熱仕切り壁中の冷気供給通路を開閉するダンパ装置を備えた冷蔵庫において、前記断熱仕切り壁は前記冷蔵庫本体に組み込み構成であり、前記ダンパ装置は、電動機構とこの電動機構によって前記冷気供給通路を開閉する作動板とこの作動板を取り囲んで前記冷気供給通路の一部を構成する通路壁とを備え、前記断熱仕切り壁には前記通路壁が挿入保持される挿入部とこの挿入部の周辺部に形成された係止爪を設け、この係止爪が前記通路壁に弾性係止して前記断熱仕切り壁中に前記ダンパ装置を保持することを特徴とする冷蔵庫。
【請求項２】
前記断熱仕切り壁は上板と下板との間に断熱材が挟持された断熱構造をなし、前記係止爪は前記上板に上方へ突出状態に形成され、前記挿入部には挿入された前記通路壁の下部が対向する段部が形成され、前記通路壁が前記挿入部に挿入され状態で前記係止爪が前記通路壁の上端に弾性係止すると共に、前記通路壁の下端部を直接又はシール材を介して前記段部に押圧することを特徴とする請求項１に記載の冷蔵庫。
【発明の詳細な説明】
【技術分野】
【０００１】
本発明は、冷気供給通路を開閉するダンパ装置を備えた冷蔵庫に関する。
【背景技術】
【０００２】
冷蔵室が上部に位置するように冷凍室と冷蔵室が区画壁にて区画され、前記冷凍室の後部に設置した冷却器で冷却した冷気が送風機で前記冷凍室と冷蔵室へ循環するよう構成され、前記区画壁内には、前部と後部にそれぞれ別個の発泡スチロールなどの成形断熱材が収納され、後部の成形断熱材には冷気を冷蔵室へ導く吐出通路が形成され、この吐出通路内にはダンパ装置が収納された冷蔵庫がある（例えば、特許文献１参照）。
【０００３】
前記ダンパ装置は、上下面が開口した矩形状のケースと、このケース内に回転自在に設けられたダンパと、このダンパを回転駆動するモータから構成されており、冷蔵室温度に応じてケース内を流通する冷気量を調節するものである。また、区画壁は冷蔵庫本体の内箱と一体に形成された構成であり、この区画壁内後部の成形断熱材は、前部の成形断熱材に接続される水平部分と、冷蔵室へ導く吐出通路の後方に位置する縦部分とで形成され、冷蔵庫本体の背面壁の中にこの縦部分が入り込んだ組み込み構造である。そして、吐出通路内に収納されるダンパ装置のケースは、その上部開口周縁に外側に広がるフランジが形成され、このフランジが吐出通路の上端周縁部に載置された構成である。
【特許文献１】特開平１０−１６０３２２号公報（第２頁〜第３頁、図１〜図４）
【発明の開示】
【発明が解決しようとする課題】
【０００４】
このように特許文献１の発明は、区画壁は冷蔵庫本体の内箱と一体に形成された構成であり、区画壁内後部の成形断熱材の後部が冷蔵庫本体の背面壁中に入り込んだ組み込み構造であるため、冷蔵庫本体に充填される発泡ポリウレタン断熱材が漏れないシール構造が複雑になる。また、吐出通路内に収納されるダンパ装置は、そのケースを吐出通路内に差し込んだ状態でケースの上部フランジが吐出通路の上端周縁部に載置された構成であるため、このケースを成形断熱材に固定する粘着テープ貼り作業等が必要となる。
【０００５】
本発明は、このような点に鑑みて、冷蔵庫本体の構成を簡素化するために冷凍室と冷蔵室とを区画する断熱仕切り壁を冷蔵庫本体と別個の構成とし、ダンパ装置の取り付けの簡素化を図り、断熱仕切り壁とダンパ装置との間のシールの確保が簡単に行える構造を提供するものである。
【課題を解決するための手段】
【０００６】
第１の発明は、冷蔵庫本体内に冷蔵室が上部に位置するように冷凍室と冷蔵室が断熱仕切り壁にて区画され、前記冷凍室の後部に設置した冷却器で冷却した冷気が送風機で前記冷凍室と冷蔵室へ循環するよう構成され、前記冷蔵室の温度に基づき前記冷蔵室へ連通した前記断熱仕切り壁中の冷気供給通路を開閉するダンパ装置を備えた冷蔵庫において、前記断熱仕切り壁は前記冷蔵庫本体に組み込み構成であり、前記ダンパ装置は、電動機構とこの電動機構によって前記冷気供給通路を開閉する作動板とこの作動板を取り囲んで前記冷気供給通路の一部を構成する通路壁とを備え、前記断熱仕切り壁には前記通路壁が挿入保持される挿入部とこの挿入部の周辺部に形成された係止爪を設け、この係止爪が前記通路壁に弾性係止して前記断熱仕切り壁中に前記ダンパ装置を保持することを特徴とする。
【０００７】
第２の発明は、前記断熱仕切り壁は上板と下板との間に断熱材が挟持された断熱構造をなし、前記係止爪は前記上板に上方へ突出状態に形成され、前記挿入部には挿入された前記通路壁の下部が対向する段部が形成され、前記通路壁が前記挿入部に挿入され状態で前記係止爪が前記通路壁の上端に弾性係止すると共に、前記通路壁の下端部を直接又はシール材を介して前記段部に押圧することを特徴とする。
【発明の効果】
【０００８】
請求項１の発明は、冷蔵庫本体の構成を簡素化するために冷凍室と冷蔵室とを区画する断熱仕切り壁を冷蔵庫本体と別個の構成とし、ダンパ装置を予め取り付けた断熱仕切り壁を冷蔵庫本体に組み込むことができるため、組立てが簡素化される。また、断熱仕切り壁の係止爪が通路壁に弾性係止することにより、ダンパ装置が断熱仕切り壁に保持されるため、断熱仕切り壁へのダンパ装置の組み込みが簡単であって、しかも断熱仕切り壁へダンパ装置を安定して保持できる。更に、係止爪と通路壁との弾性係止によって、通路壁と断熱仕切り壁に形成した挿入部とのシールが確保されるため、シール作業が簡素化される。
【０００９】
請求項２の発明は、前記通路壁が前記挿入部に挿入され状態で前記係止爪が前記通路壁の上端に弾性係止することにより、前記通路壁の下端部を直接又はシール材を介して前記段部に押圧するため、ダンパ装置の組み込みの簡素化とダンパ装置の安定保持が得られ、更に、前記通路壁と断熱仕切り壁とのシールが確保され、安定した冷気循環と温度制御が得られる。
【発明を実施するための最良の形態】
【００１０】
本発明は、冷凍室と冷蔵室を区画する断熱仕切り壁中に、冷蔵室への循環冷気量を制御するダンパ装置を挿入し、断熱仕切り壁に形成した係止爪にダンパ装置を弾性係止することによって、ダンパ装置を断熱仕切り壁に保持すると共に、ダンパ装置と断熱仕切り壁とのシールを達成するものである。
【実施例１】
【００１１】
次に、本発明の実施の形態について説明する。図１は本発明冷蔵庫の縦断側面図、図２は本発明の冷蔵庫本体を正面から見た説明図、図３は本発明ダンパ装置の取り付け部の構造説明図、図４は本発明ダンパ装置と取り付け部の分解斜視図である。
【００１２】
実施例１に係る冷蔵庫１は、全面開口の本体２内を区画して複数の貯蔵室を形成し、これら各貯蔵室の前面は扉で開閉できる構成である。冷蔵庫本体２は外箱（外壁板）２Ａと内箱（内壁板）２Ｂとの間に発泡断熱材２Ｃを充填した断熱構造である。冷蔵庫本体２内には、上から冷蔵室３、冷凍室５、野菜室４が区画されて設けられている。
【００１３】
冷蔵室３の前面開口は、冷蔵庫本体２の一側部にヒンジ装置にて横方向に回動する回動式の冷蔵室扉１０にて開閉される。野菜室４の前面開口は、野菜室４内に設けた左右のレールとローラによる支持装置１８によって前後方向へ引き出し可能に支持した野菜容器１５と共に前方へ引き出される引き出し式扉１１にて閉塞されている。冷凍室５は扉１２にて閉塞されているが、野菜室４と同様に、冷凍室内に設けた左右のレールに対して前後方向へ引き出し可能に支持した容器１６を扉１２と共に前方へ引き出される引き出し式とする構成でもよい。
【００１４】
２０は冷凍サイクルの冷媒の圧縮機、２１は冷凍サイクルの冷媒の凝縮器である。２２は凝縮器２１の熱によって後述の除霜水を蒸発させるための蒸発皿であり、凝縮器２１上に載置して冷蔵庫本体２の前面下部から引き出し自在である。圧縮機２０、凝縮器２１、蒸発皿２２は、冷蔵庫本体２の下部に設けた機械室２３に設置されている。２４は冷凍室５の背面部に形成した冷却器室２６に設置した冷媒の蒸発器（冷却器）である。２５は蒸発器（冷却器）２４で冷却した冷気を冷凍室５、冷蔵室３、野菜室４へ循環する送風機である。２７は蒸発器（冷却器）２４の除霜用ガラス管ヒータである。蒸発器（冷却器）２４の除霜水は、排水管を通って蒸発皿２２へ導かれてそこで蒸発する。
【００１５】
上部に位置する冷蔵室３とその下部に位置する冷凍室５とは断熱仕切り壁２８にて区画されており、断熱仕切り壁２８は、インジェクション成形の合成樹脂製上板２９とインジェクション成形の合成樹脂製下板３０との間に、予め所定形状に成形された発泡スチロール等の断熱材３１が挟持された断熱構造をなしている。このような断熱仕切り壁２８は、冷蔵庫本体２の左右両側に内箱（内壁板）２Ｂに形成した前後方向の溝に冷蔵庫本体２の前面開口部から挿入されて取り付けられる構成である。
【００１６】
冷蔵室３の背面側には上下方向の冷気供給通路３５が形成されている。３２は冷蔵室３の背壁であり、合成樹脂製背面板３３とその裏側に取り付けた発泡スチロール等の断熱材３４との組み合わせ構成である。冷蔵室３の背壁３２は、その断熱材３４が冷蔵庫本体２の背壁の内箱（内壁板）２Ｂに当接する状態に冷蔵庫本体２の背壁に並列に設置され、この状態で断熱材３４に窪ませた上下方向に延びる冷気ダクト部３４Ａが冷気供給通路３５を形成する。
【００１７】
断熱仕切り壁２８の後部には、断熱仕切り壁２８を上下に貫通した冷気供給通路３６が形成され、冷気供給通路３６は、その下部が送風機２５から供給される冷気の導入部であり、上部が冷気供給通路３５に連通した配置である。冷気供給通路３６にはダンパ装置５０が取り付けられており、ダンパ装置５０は、冷蔵室３の温度を感知するセンサの温度感知に基づき制御回路部によって冷気供給通路３６を開閉する動作をする。このダンパ装置５０の開閉動作によって、冷蔵室３は所定の温度に制御される。
【００１８】
蒸発器（冷却器）２４で冷却した冷気は送風機２５によって矢印のように循環する。即ち、送風機２５から送出される冷気は冷凍室５の背壁上部の冷気吹き出し口３７から冷凍室５へ供給され、冷凍室５の背壁下部の冷気吸込み口３８から冷却器室２６に帰還して再び蒸発器（冷却器）２４にて冷却される循環をする。また、送風機２５から送出される冷気は、冷気供給通路３６を通って冷気供給通路３５へ供給され、冷気供給通路３５の左右両側に形成した冷気通路３５Ａに連通して冷蔵室３の背壁３２に形成した冷気吹き出し口３９から冷蔵室３へ供給される。
【００１９】
冷蔵室３へ供給された冷気は、冷蔵室３の背壁３２の一側下部に形成した冷気吸込み口４０から吸い込まれて、冷凍室５の後方に形成した冷気通路４１を下方に流れて野菜室４の後部に開口した冷気吹き出し口４２から野菜室４に吹き出す。野菜室４に吹き出した冷気は、野菜容器１５内の野菜等を冷却して野菜室４の上部又は野菜室４の後部に開口した冷気吸込み口４３から冷却器室２６に帰還して再び蒸発器（冷却器）２４にて冷却される循環をする。
【００２０】
ダンパ装置５０は、ケース５２内に収納された電動機構５１と、この電動機構５１によって冷気供給通路３６を開閉する作動板５３と、この作動板５３を取り囲んで冷気供給通路３６の一部を構成する通路壁５４を備えている。断熱仕切り壁２８には通路壁５４が挿入保持される挿入部５５を形成しており、この挿入部５５は、冷気供給通路３６がその中間部から上方が広い冷気供給通路となるように、断熱仕切り壁２８の断熱材３１の中間部に上方に広がった段部５６を形成している。断熱仕切り壁２８の上板２９は、冷気供給通路３６の上端部を取り囲むように上方に立ち上がったフランジ５７を一体形成している。
【００２１】
ダンパ装置５０は、段部５６に載置されるように断熱仕切り壁２８の上板２９と断熱材３１の広がった冷気供給通路３６部分の挿入部５５に嵌った状態で収納される。具体的には、フランジ５７と断熱材３１内に通路壁５４が嵌った状態に挿入される。断熱仕切り壁２８とダンパ装置５０との間のシールのために、段部５６と通路壁５４との間には弾性シール材５８が介在している。またダンパ装置５０の周囲に適当箇所に弾性シール材を設けて周辺部材との間のシールを行うことができる。
【００２２】
通路壁５４の周囲とフランジ５７の上端部には冷気供給通路３６側に向いた複数の係止爪５９が形成されており、上方から挿入部５５に通路壁５４が挿入されるとき、通路壁５４が係止爪５９に当接してフランジ５７の係止爪５９部分を外方に押し広げつつ通路壁５４が挿入部５５に進入し、通路壁５４の下端部が弾性シール材５８を圧縮した状態で段部５６に押圧された状態まで挿入部５５に進入したとき、フランジ５７の係止爪５９部分の弾性復帰によって、係止爪５９が通路壁５４の上端に弾性係止し、通路壁５４の下端部がシール材５８を介して段部５６に押圧された状態で安定する。
【００２３】
この弾性係止によって通路壁５４が挿入部５５に安定保持され、ダンパ装置５０が断熱仕切り壁２８の冷気供給通路３６に安定保持される。断熱材３１が発泡スチロール等の弾力性のある断熱材で形成されている場合は、通路壁５４の上端に係止爪５９が弾性係止したとき、弾性シール材５８を圧縮した状態でこの断熱材３１の弾力性によっても係止爪５９が通路壁５４の上端に係止した安定状態を維持できる。なお、通路壁５４の下端部が直接段部５６を押圧することによりその部分のシール性が保たれれば、弾性シール材５８を省略することができる。
【００２４】
このようにしてダンパ装置５０が断熱仕切り壁２８の冷気供給通路３６部分に取り付けられるため、ダンパ装置５０の断熱仕切り壁２８への取り付けが簡単になると共に、ダンパ装置５０と断熱仕切り壁２８の冷気供給通路３６部分とのシールが良好な状態に維持できる。このため、ダンパ装置５０の取り付けに粘着テープやその他の複雑な構成が不要である。
【００２５】
ダンパ装置５０は、冷蔵室３の温度を感知するセンサの温度感知に基づき制御回路部によって電動機構５１が作動して、冷気供給通路３６を作動板５３が開閉する。この場合、冷蔵室３の制御下限温度において冷気供給通路３６を作動板５３が閉じ、冷蔵室３の温度が制御上限温度に上昇したとき冷気供給通路３６を作動板５３が開くような単純な開閉動作方式とするものの他に、電動機構５１をステッピングモータ機構とし、冷蔵室３の温度に応じてステッピングモータ機構によって作動板５３が所定角度ずつ回動して、冷気供給通路３６を流れる冷気量を増減して冷蔵室３を所定温度範囲に維持する制御とすることもできる。
【産業上の利用可能性】
【００２６】
上記のように、冷凍室と冷蔵室を区画する断熱仕切り壁中にダンパ装置を挿入保持する場合、この挿入部の周辺部に形成した係止爪にダンパ装置を弾性係止する構成であれば、冷蔵庫の形態は限定されず、本発明の技術的範囲を逸脱しない限り種々の変更が考えられ、それに係る種種の実施形態を包含するものである。
【図面の簡単な説明】
【００２７】
【図１】本発明冷蔵庫の縦断側面図である。（実施例１）
【図２】本発明の冷蔵庫本体を正面から見た説明図である。（実施例１）
【図３】本発明ダンパ装置の取り付け部の構造説明図である。（実施例１）
【図４】本発明ダンパ装置と取り付け部の分解斜視図である。（実施例１）
【符号の説明】
【００２８】
１・・・冷蔵庫
２・・・冷蔵庫本体
３・・・冷蔵室
４・・・野菜室
５・・・冷凍室
２４・・冷却器
２５・・送風機
２８・・冷蔵室と冷凍室の断熱仕切り壁
２９・・断熱仕切り壁の上板
３０・・断熱仕切り壁の下板
３１・・断熱材
３５・・冷気供給通路
３６・・冷気供給通路
５０・・ダンパ装置
５２・・電動機構
５３・・作動版
５４・・通路壁
５５・・挿入部
５６・・段部
５７・・フランジ部
５８・・弾性シール材
５９・・係止爪
【図１】
2005069646.tif 000003
【図２】
2005069646.tif 000004
【図３】
2005069646.tif 000005
【図４】
2005069646.tif 000006